(57)【要約】【課題】  着物を着る時に帯を容易に締めやすくする事と、一ヶ所に必要な物がすべてまとめておけるハンガースタンドを提供する。【解決手段】回転機構を有するターンテーブルと、ターンテーブルと一緒に回転するターンロールが帯のねじれや、ゆるみを防ぐ事ができると共に、小物類をすべて収納する部分を設置したことを特徴とする帯巻き機能付ハンガースタンド。【選択図】  図２
2007098071.tif 000002
【特許請求の範囲】
【請求項１】
ベースや脚等の立設機構と、該立設機構に立設された主軸と、主軸の中間位置に設けられた回転機構を有するターンテーブルと、該ターンテーブルと一緒に回転するように固定されたターンロールとにより構成され、前記ターンロールは任意の帯を巻きつけられる高さを有すると共に使用者の腰位置付近の高さに設けられたものであることを特徴とする帯巻きつけ具。
【請求項２】
ターンテーブルの高さを調整するための高さ調節機構を備えたことを特徴とする請求項１記載の帯巻きつけ具。
【請求項３】
帯を垂らした状態で保持する帯掛け部を備えたことを特徴とする請求項１または２記載の帯巻きつけ具。
【請求項４】
帯板や帯枕等の小物を収納する小物収納具を備えたことを特徴とする請求項１，２または３記載の帯巻きつけ具。
【請求項５】
主軸上部に伸縮機構と角度が変化するハンガーを設けたことを特徴とする請求項１，２，３または４記載の帯巻きつけ具。
【請求項６】
主軸本体に伸縮機構を有する事を特徴とする請求項１，２，３，４または５記載の帯巻きつけ具。
【発明の詳細な説明】
【技術分野】
【０００１】  本発明は帯を容易に巻くことが出来ると共に、整理する事ができる帯巻きつけ具に関するものである。
【背景技術】
【０００２】  従来は帯や着物の整理用具として着物ハンガーを利用していた。帯の巻きつけに関する補助具はなかった。
【発明の開示】
【発明が解決しようとする課題】
【０００３】  着物を着る時は人の手を借りたり、また帯を床に置いた状態で締めるため、途中で帯がねじれたり、ゆるんだりして着付けに時間がかかっていた。
また着物を脱いだ後に裾をひきずらないようにして掛ける場所が限られていた。
本発明は以上の問題点を解決しようとするものである。
【課題を解決するための手段】
【０００４】  ベースや脚等の立設機構と、該立設機構に立設された主軸と、主軸の中間位置に設けられた回転機構を有するターンテーブルと、該ターンテーブルと一緒に回転するように固定されたターンロールとにより構成され、前記ターンロールは任意の帯を巻きつけられる高さを有すると共に、使用者の腰位置付近の高さに設けられたものであることを特徴とする帯巻きつけ具である。
【発明の効果】
【０００５】  回転機構を有するターンロールを備えることで、帯を巻くことができ、帯のねじれを防いだり、途中でゆるんだりせずに締めることができるようになった。
ターンテーブルの高さ調節機構を備えることにより、使用者の身長差に対応できるようになった。
帯掛け部分を備えることにより、脱いだ後のしわを伸ばしたり、干したりすることが出来るようになった。
小物収納具を備えることにより、帯板や帯枕などの様々な形状でも収納できるようになった。
伸縮機能を有するハンガーを備えることにより、伸ばした状態では着物ハンガーとして使用し、縮めた状態では洋服ハンガーとして使用できるようになった。
主軸に伸縮機能を備えることにより、着物ハンガーと洋服ハンガーの高さ調節が出来るようになった。
【発明を実施する為の最良の形態】
【０００６】  以下、本発明の実施の形態を図１から図５を利用して説明する。
本発明は、ベース（１）、主軸（２）、ターンテーブル（３）、ターンロール（４）、ストッパー（６）、ハンガー（５）、収納ポケット（８）、帯掛け部（７）、紐掛け部（９）、帯止め部（１０）から構成される。
ベース（１）は図に示すように円盤状の安定性のあるものであり、この中央に主軸（２）が立設されている。
主軸（２）は下部に設けられた円筒と、この円筒内でスライドする円柱と、円柱の高さ調整した状態で固定する高さ固定部材より構成される。
ストッパー（６）は、図１に示すように、一部が切りかかれた円筒状本体の左右端部から側面方向に延設された締め付け部で形成されたものである。２つの締め付け部にはそれぞれ対向する同位置にネジ穴が設けられている。また、このネジ穴に差し込んで締め付けるネジが具備されており、主軸（２）の任意の高さ位置に取り付けられる。
ターンテーブル（３）は円盤状のベース体上面に円盤状の嵌合部材（１８）が設けられたものであり、中央にはターンロール（４）の内径に合わせた中央孔（１７）を有するものであり、前記ストッパー（６）の上部に回転可能に取り付けられている。
ターンロール（４）はターンテーブル（３）上に取り付けられるものであり、帯を巻きつけられる高さ幅を有する円筒形状となっており、下部には前記ターンテーブル（３）の嵌合部材（１８）に嵌合され、ターンテーブル（３）と一緒に回転する取り付け空間を形成する状態で底面が設けられている。また、上部には上面が設けられており、上面、下面の中央位置には主軸の円筒に取り付けるための貫通孔（１９）が設けられている。
また、ターンロール（４）上部には、帯を巻くときの帯止め部材（１０）が設けられている。
ハンガー（５）はハンガー（５）の中心部分を主軸棒（２）に差し込むキャップを設けキャップ部分から左右に太さの異なる円筒状の棒３本よりなるハンガー部材が設けられており、このハンガー部材は細い順に２本が押し込まれることにより、伸縮が可能となっている。伸縮機構に関しては、従来利用される各種延長手段が利用される。
また、ハンガー部材は水平状態、斜め下方向きで角度固定できるとともに、不使用時には垂下状態にすることができる角度調整機構によりキャップに取り付けられている。この角度調整機構に関しては、座椅子に用いられる角度調整機構をはじめとし、従来利用される角度調整機構が用いられる。
ターンテーブル（３）下面には、収納ポケット（８）が取り付け部材を利用して取り付けられている。収納ポケット（８）は取り付け部材の横棒に挿入できる通し部を有し、通し部に横棒を挿入した状態で横棒左右に設けられた固定部により固定されている。
また、収納ポケット（８）の反対側には帯掛け部（７）が取り付け部材を利用して取り付けられている。帯掛け部（７）は片側取り付け部材でＬ字型に固定されており、横棒の外側には円筒状の可動するカバーが設けられている。
紐掛け部（９）はターンテーブルの上面に設けられたものであり、取付穴（２０）に嵌る固定部から延びた支持部を介して平行なフック棒が形成されたものである。このフック棒に関しては直線状のものでも良いが、図に示すようにターンテーブルの周縁形状にあわせて弧になったものであることが望ましい。
これを使用するときは、着物を着る前の準備段階では、ターンテーブル（３）の高さを自分の帯巻き位置に合わせる。
次にターンロール（４）に帯の先端を帯止め具（１０）にとめて帯（１２）を巻きつけていく。腰紐（１３）、伊達締め（１４）、帯揚げ（１５）、帯締め（１６）等の紐類は図４に示すように紐掛け部（９）に掛け、帯枕や帯板などの大きな物は収納ポケット（８）に入れ全て必要な物をセットしておく。
帯（１２）を巻くときは、自分が回りながら巻き始めるとターンロール（４）も回り、結ぶ時や小物を取る時には、ターンロール（４）が止まっているので、帯（１２）がゆるまずに締めやすくなる。
着物（１１）を脱いだ後は、図５に示すように帯（１２）や着物（１１）のしわなどを伸ばす為、着物（１１）はハンガー（５）に掛け、帯（１２）は帯掛け部（７）に垂らして掛けておく。
また、着物以外にも洋服の上着やタオルなど、様々な利用が可能である。帯掛け部（７）にはスラックスなどを掛けておける。
【図面の簡単な説明】
【０００７】
【図１】本発明の分解図
【図２】本発明の斜視図
【図３】本発明の他の使用状態を示す斜視図
【図４】本発明の使用説明図
【図５】本発明の使用説明図
【符号の説明】
【０００８】１    ベース
２    主軸棒
３    ターンテーブル
４    ターンロール
５    ハンガー
６    ストッパー
７    帯掛け部
８    収納ポケット
９    紐掛け部
１０  帯止め具
１１  着物
１２  帯
１３  腰紐
１４  伊達締め
１５  帯揚げ
１６  帯締め
１７  中央孔
１８  嵌合部材
１９  貫通孔
２０  取付穴
【図１】
2007098071.tif 000003
【図２】
2007098071.tif 000004
【図３】
2007098071.tif 000005
【図４】
2007098071.tif 000006
【図５】
2007098071.tif 000007